(57)【要約】【課題】指針の視認性を向上でき、時計の厚みの増加を抑えることができる多機能時計を提供すること。【解決手段】多機能時計１の時刻表示部内に、通常時刻を計時する時針１１、分針１２と、通常時刻以外の他の情報を指示する指針１４とを配置する。指針１４の回転軸１４Ａから指針先端までの長さ寸法Ｌ３を、分針１２の長さ寸法Ｌ１よりも長く形成する。指針１４の回転軸１４Ａと時分針の回転軸１２Ａとを、時刻表示部４の中心位置４Ａとは異なる位置に配置する。各回転軸１２Ａ，１４Ａ間の距離を、長さ寸法Ｌ１よりも長く、長さ寸法Ｌ３よりも短くする。時分針１１，１２と指針１４とが異なる位置に配置されるので、各針が独立配置されてその指示を判読しやすくでき、各針用の輪列も離すことができて断面的な針の重なりや各輪列の重なりを最小限に抑えて時計を薄型化できる。【選択図】  図６
2004264040.tif 000002
【特許請求の範囲】
【請求項１】
文字板の外周に沿って配置される見切部により区画される時刻表示部内に配置され、かつ通常時刻を計時するための時針および分針と、
前記時刻表示部内に配置され、かつ前記通常時刻以外の他の情報を指示する指針とを備え、
前記指針の回転軸から指針先端までの長さ寸法Ａは、前記分針の回転軸から分針先端までの長さ寸法Ｂよりも長く形成され、
前記指針の回転軸と時針および分針の回転軸とは、前記時刻表示部の中心位置とは異なる位置に配置され、
前記時針および分針の回転軸と前記指針の回転軸とは、分針の前記長さ寸法Ｂよりも長く、かつ指針の前記長さ寸法Ａよりも短い距離だけ互いに離れた位置に配置されていることを特徴とする多機能時計。
【請求項２】
請求項１に記載の多機能時計において、
前記指針の回転軸と、前記時針および分針の回転軸とは、時刻表示部の中心を挟んで互いに反対方向に偏心した位置に配置されていることを特徴とする多機能時計。
【請求項３】
請求項２に記載の多機能時計において、
前記指針の回転軸は、時刻表示部の中心から１２時方向に偏心した位置に配置され、
前記時針および分針の回転軸は、時刻表示部の中心から６時方向に偏心した位置に配置されていることを特徴とする多機能時計。
【請求項４】
請求項１から請求項３のいずれかに記載の多機能時計において、
前記時刻表示部内に配置されて通常時刻を計時するための秒針を備え、
前記秒針の回転軸から秒針先端までの長さ寸法Ｃは指針の前記長さ寸法Ａよりも短く形成され、前記秒針の回転軸は他の針の回転軸とは異なる位置に独立して配置されているとともに、
前記指針の回転軸および前記秒針の回転軸の間隔は、秒針の前記長さ寸法Ｃよりも長く、かつ指針の前記長さ寸法Ａよりも短い距離に設定されていることを特徴とする多機能時計。
【請求項５】
請求項１から請求項４のいずれかに記載の多機能時計において、
前記指針と異なる情報を指示する第２の指針を備え、
前記第２の指針の回動軸から第２の指針先端までの長さ寸法Ｄは前記指針の前記長さ寸法Ａよりも短く形成され、前記第２の指針の回動軸は他の針の回転軸とは異なる位置に独立して配置されているとともに、
前記指針の回転軸および前記第２の指針の回動軸の間隔は、指針の前記長さ寸法Ａよりも短い距離に設定されていることを特徴とする多機能時計。
【請求項６】
請求項５に記載の多機能時計において、
前記指針の回転軸および前記第２の指針の回動軸の間隔は、第２の指針の前記長さ寸法Ｄよりも短い距離に設定され、かつ前記第２の指針は、一定角度範囲内のみで回動駆動可能に構成されていることを特徴とする多機能時計。
【請求項７】
請求項５または請求項６に記載の多機能時計において、
前記第２の指針の回動軸は、時刻表示部の中心から略２時方向に偏心した位置に配置され、
前記指針の回転軸は、時刻表示部の中心から１２時方向に偏心した位置に配置され、
前記時針および分針の回転軸は、時刻表示部の中心から６時方向に偏心した位置に配置されているとともに、
回転軸が前記時刻表示部の中心から略１０時方向に偏心した位置に配置されて通常時刻を計時するための秒針を備えていることを特徴とする多機能時計。
【請求項８】
請求項５から請求項７のいずれかに記載の多機能時計において、  前記指針は秒クロノグラフ針であり、前記第２の指針は分クロノグラフ針であることを特徴とする多機能時計。
【発明の詳細な説明】
【０００１】
【発明の属する技術分野】
本発明は、通常時刻を表示する針の他に、クロノグラフ時間、温度等の通常時刻以外の情報を表示する針を有する多機能時計に関する。
【０００２】
【背景技術】
近年においては、デジタル式電子時計だけでなく、アナログ電子時計（指針式電子時計）に対しても、クロノグラフ、アラーム、タイマー等の時間情報や、温度、圧力、湿度等の情報を表示する多機能表示の要求が強く、色々な多機能アナログ時計が商品化されている。
これらの多機能アナログ時計においては、通常の時刻を表す時針、分針、秒針等の通常時刻表示用の指針（基本時計用指針）の他に、クロノグラフ用やアラーム用等の付加機能表示用の指針が設けられる。
このため、時計の時刻表示部内に、上記各指針を互いの針が干渉しないように配置する必要があった。なお、時刻表示部とは、文字板の周囲を保持するケース内周面等の見切部で区画され、前記文字板が視認される領域を意味する。
【０００３】
このため、例えばクロノグラフ機能を有する多機能時計では、通常は、時刻表示部の中心（例えば、時刻表示部が平面円形の一般的な多機能時計では前記円の中心位置であり、平面矩形状の時刻表示部では各対角線の交点の位置であり、通常は文字板の重心位置に一致する）に、通常時刻を表示する時針、分針の各回転軸を配置し、さらにクロノグラフ機能の秒クロノグラフ針（秒ＣＧ針）の回転軸が同軸で配置されている。
また、時刻表示部の中心以外に回転軸が配置された針（副針）として、通常時刻の秒を表示する小秒針、クロノグラフの分クロノグラフ針（分ＣＧ針）、時クロノグラフ針（時ＣＧ針）が配置されている（例えば、特許文献１参照）。
【０００４】
また、時刻表示部の中心に回転軸を配置した指針を設けずに、通常時刻を表示する時針、分針、秒針を時計表示部の中心位置から下側（通常の時計で６時側）に配置し、１／１０秒ＣＧ針を時計表示部中心位置から左側（通常の時計で９時側）に配置し、秒ＣＧ針を時計表示部中心位置から上側（通常の時計で１２時側）に配置し、分ＣＧ針、時ＣＧ針を時計表示部中心位置から右側（通常の時計で３時側）に配置して、通常時刻表示部とクロノグラフ表示部が重ならないように配置しているものもある（例えば、特許文献２参照）。
【０００５】
【特許文献１】
特開昭６１−８３９９１号公報
【特許文献２】
ＷＯ９９／５４７９２号公報
【０００６】
【発明が解決しようとする課題】
しかしながら、上記特許文献１に記載のクロノグラフ機能付き電子時計は、通常時刻表示の針と、クロノグラフ表示の針とが重なっており、特に秒ＣＧ針と通常時刻表示の分針、時針が同軸で重なっているため、使用者が判別し難いという問題点がある。また、３つの指針が同軸に配置されているので、各指針を駆動するための輪列等も時刻表示部の中心部に重なり合うように配置されるため、電子時計の厚みが増してしまう問題がある。
【０００７】
一方、上記特許文献２に記載されたクロノグラフ機能付き電子時計は、通常時刻表示部とクロノグラフ表示部が重ならないように独立しているため、使用者の判読性は向上している。しかしながら、各針の寸法が小さくなり、全体として各表示部が小さく見にくくなってしまうという問題がある。
【０００８】
このような問題は、クロノグラフ機能付きの時計に限らず、アラーム、タイマー等の時間情報や、温度、圧力、湿度等の情報を表示する指針を有する多機能時計において共通する問題である。
【０００９】
本発明の目的は、指針の視認性を向上でき、時計の厚みの増加を抑えることができる多機能時計を提供することにある。
【００１０】
【課題を解決するための手段】
本発明の多機能時計は、文字板の外周に沿って配置される見切部により区画される時刻表示部内に配置され、かつ通常時刻を計時するための時針および分針と、前記時刻表示部内に配置され、かつ前記通常時刻以外の他の情報を指示する指針とを備え、前記指針の回転軸から指針先端までの長さ寸法Ａは、前記分針の回転軸から分針先端までの長さ寸法Ｂよりも長く形成され、前記指針の回転軸と時針および分針の回転軸とは、前記時刻表示部の中心位置とは異なる位置に配置され、前記時針および分針の回転軸と前記指針の回転軸とは、分針の前記長さ寸法Ｂよりも長く、かつ指針の前記長さ寸法Ａよりも短い距離だけ互いに離れた位置に配置されていることを特徴とするものである。
【００１１】
本発明によれば、通常時刻を計時する時分針と、クロノグラフ時間、アラーム時間、温度、圧力等の通常時刻以外の情報を指示する指針とは、各回転軸が異なるように配置されているので、各指針と時分針とが独立して配置されて各針の指示を使用者が判読しやすくでき、その視認性を向上できる。
また、各指針と時分針とが別々の位置に配置されているので、各針を駆動するための輪列も互いに離して配置することができ、断面的な針の重なりや、各輪列の重なりも最小限で抑えることができる。従って、多くの針を備える多機能時計であっても、時計を薄型化することができる。
【００１２】
その上、前記指針の長さ（回転軸から針先端までの長さ寸法Ａ）は、分針の長さ寸法Ｂよりも長くされているため、その指針のダイナミックな動作が表現でき、視認性も向上できる。この指針の長さは、指針の回転軸から時刻表示部の外周までの長さ寸法の最も短い長さを上限に制限される。但し、前記時針および分針の回転軸と前記指針の回転軸とは、分針の前記長さ寸法Ｂよりも長く、かつ指針の前記長さ寸法Ａよりも短い距離だけ互いに離れた位置に配置されているため、つまり、指針の移動軌跡内に前記時分針の回転軸が配置されるように構成しているため、前記指針の長さを、前記特許文献２のように、指針の軌跡が時分針と重ならないように構成した場合に比べて、非常に長くすることができる。
このように指針の長さを長くできるので、通常時刻の視認性を低下させることなく、前記指針の視認性を向上でき、各情報の確認が容易な時計を構成することができる。すなわち、時分針は、両針の位置関係から概略の時刻を読み取ることができるため、必ずしもその針の指示する目盛等を確認する必要はない。このため、指針がある程度小さくてもその時刻情報を読み取ることができる。これに対し、クロノグラフ時間や圧力値等の他の情報を指示する指針は、対応する目盛位置を読んで指示情報を確認する必要がある場合が多く、その指示情報を確認する上で、指針自体を長く（大きく）形成し、目盛間隔を大きくできれば、視認性を向上することができる。
【００１３】
本発明では、前記指針の回転軸と、前記時針および分針の回転軸とは、時刻表示部の中心位置を挟んで互いに反対方向に偏心した位置に配置されていることが好ましい。
前記指針の回転軸が時刻表示部の中心位置に配置されている場合に、時分針を前記回転軸に干渉しないように配置するには、時分針の針の長さは、時刻表示部の中心から外周までの半径の半分以下に抑える必要がある。
これに対し、本発明では、前記時分針の回転軸を、時刻表示部の中心位置に対して前記指針の回転軸とは反対側に配置しているので、指針の回転軸が時刻表示部の中心位置に配置されている場合に比べて時分針の針の長さをより長くすることができ、通常時刻の視認性もより向上できる。
【００１４】
ここで、前記指針の回転軸は、時刻表示部の中心から１２時方向に偏心した位置に配置され、前記時針および分針の回転軸は、時刻表示部の中心から６時方向に偏心した位置に配置されていることが好ましい。
ここで、１２時方向とは、通常時刻を指示する時分針の回転軸から、その通常時刻の１２時を示す目盛に向かう方向を、前記時刻表示部の中心からの方向に対応させた場合の方向を意味する。６時方向も同様である。
指針および時分針が上下方向（１２時および６時を結ぶ方向）にずれていれば、各針の配置バランスが良く、意匠性に優れた時計にできる。
【００１５】
本発明では、前記時刻表示部内に配置されて通常時刻を計時するための秒針を備え、前記秒針の回転軸から秒針先端までの長さ寸法Ｃは指針の前記長さ寸法Ａよりも短く形成され、前記秒針の回転軸は他の針の回転軸とは異なる位置に独立して配置されているとともに、前記指針の回転軸および前記秒針の回転軸の間隔は、秒針の前記長さ寸法Ｃよりも長く、かつ指針の前記長さ寸法Ａよりも短い距離に設定されていることが好ましい。
【００１６】
通常時刻の秒針を、時分針や前記指針とは別に配置すれば、通常時刻の秒を容易に視認でき、かつ、断面的な針の重なりや、各輪列の重なりも最小限で抑えることができて時計を薄型化することができる。
【００１７】
本発明では、前記指針と異なる情報を指示する第２の指針を備え、前記第２の指針の回動軸から第２の指針先端までの長さ寸法Ｄは前記指針の前記長さ寸法Ａよりも短く形成され、前記第２の指針の回動軸は他の針の回転軸とは異なる位置に独立して配置されているとともに、前記指針の回転軸および前記第２の指針の回動軸の間隔は、指針の前記長さ寸法Ａよりも短い距離に設定されていることが好ましい。
【００１８】
第２の指針を備えていれば、第１の指針とともに２つの情報を指示することができる。例えば、クロノグラフ時間の秒および分を各指針で指示したり、圧力および温度を各指針で指示することなどが可能となる。
【００１９】
ここで、前記指針の回転軸および前記第２の指針の回動軸の間隔は、第２の指針の前記長さ寸法Ｄよりも短い距離に設定され、かつ前記第２の指針は、一定角度範囲内のみで回動駆動可能に構成されていることが好ましい。
本発明では、第１の指針の軌跡は他の針と一部重なるように構成されているので、第１の指針以外の針は、第１の指針の回転軸に干渉しないように配置する必要がある。この際、前記時分針や秒針のように、これらの針の長さ寸法よりも各回転軸間の距離を離すことで、時分針や秒針が回転しても前記指針の回転軸に干渉しないようにすることもできる。
一方、本発明のように、一定角度範囲内のみで回動可能に構成した場合には、その駆動範囲に前記第１の指針の回転軸が含まれないように設定すれば、第２の指針の回動軸を第１の指針の回転軸に近接して配置しても、第２の指針が第１の指針に衝突することを防止できる。その上、時刻表示部の範囲内に各針を納めるために、回転しても第１の指針の回転軸に衝突しないようにする必要がある場合には、それらの針の長さをあまり長くすることができないが、これらの針に比べて回動角度範囲で衝突を防止する第２の指針の長さ寸法Ｄは比較的大きくでき、視認性をより向上できる。
【００２０】
本発明では、前記第２の指針の回動軸は、時刻表示部の中心から略２時方向に偏心した位置に配置され、前記指針の回転軸は、時刻表示部の中心から１２時方向に偏心した位置に配置され、前記時針および分針の回転軸は、時刻表示部の中心から６時方向に偏心した位置に配置されているとともに、回転軸が前記時刻表示部の中心から略１０時方向に偏心した位置に配置されて通常時刻を計時するための秒針を備えているものでもよい。
【００２１】
このように各針がレイアウトされていれば、各針の配置バランスが良く、意匠性を向上できるとともに、各針を駆動する輪列なども分散して配置できてムーブメントにおける各部品の配置が容易になり、省スペース化を図ることもできる。
【００２２】
本発明では、前記指針は秒クロノグラフ針であり、前記第２の指針は分クロノグラフ針であることが好ましい。
このような構成によれば、多機能時計において、最も多用されるクロノグラフ付時計を構成することができる。
【００２３】
【発明の実施の形態】
以下、本発明の実施の形態を図面に基づいて説明する。
図１には、本発明の多機能時計の実施形態であるクロノグラフ付時計１の表外観が示されている。
このクロノグラフ付時計１は、図１のＡ−Ａ線からＤ−Ｄ線までの各断面線に沿った断面図である図２〜４にも示すように、透光性のガラス２を通して視認可能な文字板３部分からなる時刻表示部４を備えている。すなわち、時刻表示部４は、文字板３の周囲に配置されるガラス保持リング５の内周面（見切り面）５Ａの内側に区画形成されている。このため、本実施形態では、時刻表示部４は正面略円形に区画形成され、前記ガラス保持リング５により時刻表示部４を区画形成する見切部が構成されている。
【００２４】
［１．指針のレイアウト構成］
図１に示すように、クロノグラフ付時計１は、時刻表示部４に配置された通常時刻表示用の時針１１、分針１２、秒針１３と、通常時刻以外の他の情報であるクロノグラフ時間を示す秒クロノグラフ針（秒ＣＧ針）１４、分クロノグラフ針（分ＣＧ針）１５とを備えている。
また、時計１の３時方向の側面には通常時刻を修正するための外部操作部材であるりゅうず１７が配置され、２時方向には、秒ＣＧ針１４、分ＣＧ針１５をスタート、ストップ操作をするためのスタート・ストップボタン１８が配置され、４時方向には秒ＣＧ針１４、分ＣＧ針１５を帰零するためのリセットボタン１９が配置されている。
【００２５】
ここで、図６にも示すように、時針１１、分針１２の回転軸１２Ａは同軸とされ、時刻表示部４の中心４Ａに対してその回転軸１２Ａが６時方向（図６中下方）に離れた位置に設けられている。秒針１３は、その回転軸１３Ａが前記中心４Ａに対して略１０時方向に離れた位置に配置されている。
【００２６】
一方、秒クロノグラフ時間を示す秒ＣＧ針１４は、その回転軸１４Ａが前記中心４Ａに対して１２時方向にわずかにずれた（偏心した）位置に配置されている。本実施形態では、偏心量ｄ１は約１．５ｍｍであるが、この偏心量ｄ１は時計１のサイズ、デザイン等に応じて設定されるものであり、約１．５ｍｍに限定されるものではない。
また、分クロノグラフ時間を表示する分ＣＧ針１５は、中心４Ａに対してその回転軸１５Ａが略２時方向に離れた位置に配置されている。
【００２７】
文字板３には、通常時刻を示す時分用の目盛３Ａと、秒用の目盛３Ｂと、秒クロノグラフ時間を示す目盛３Ｃと、分クロノグラフ時間を示す目盛３Ｄとが形成されている。各目盛３Ａ〜３Ｄは、各指針１１〜１５の針先の軌跡に対応して設けられている。このため、目盛３Ｃは、時刻表示部４に対して１２時側に偏心して設けられている。
【００２８】
各針１１〜１４は、通常の時計と同様に時計回りに回転されるが、分ＣＧ針１５のみは扇形の目盛り上を扇形に運針する。つまり、分ＣＧ針１５は、図６に示す帰零状態（リセット状態）から時計回りに回転する。また、リセットボタン１９を操作すると、分ＣＧ針１５は、逆方向に回転して初期位置（リセット状態）に戻るようになっている。なお、本実施形態では、分クロノグラフは４５分計となっており、サッカー、ラクビーなどの試合時間の計測なども可能になっている。
【００２９】
ここで、分針１２、秒針１３、秒ＣＧ針１４、分ＣＧ針１５の各回転軸１２Ａ〜１５Ａから各針１２〜１５の先端までの長さ寸法をそれぞれＬ１〜Ｌ４とすると、秒ＣＧ針１４の長さ寸法Ｌ３は、他の針の長さ寸法Ｌ１，Ｌ２，Ｌ４よりも長く形成されている。すなわち、本実施形態において、指針である秒ＣＧ針１４の回転軸１４Ａから秒ＣＧ針１４の先端までの長さ寸法ＡはＬ３であり、分針１２の回転軸１２Ａから分針１２の先端までの長さ寸法ＢはＬ１であり、秒針１３の回転軸１３Ａから秒針１３の先端までの長さ寸法ＣはＬ２であり、第２の指針である分ＣＧ針１５の回転軸１５Ａから分ＣＧ針１５の先端までの長さ寸法ＤはＬ４である。
【００３０】
分針１２の回転軸１２Ａおよび秒ＣＧ針１４の回転軸１４Ａ間の間隔（距離）は、前記分針１２の長さ寸法Ｌ１よりも大きくされ、前記分針１２が回転軸１４Ａに衝突しないようにされている。なお、時針１１の長さ寸法は、当然、前記分針１２の前記長さ寸法よりも短く、かつ前記分針１２と同軸に配置されているので、時針１１が回転軸１４Ａに衝突することもない。
ここで、分針１２の長さ寸法Ｌ１および回転軸１２Ａの位置は、上記条件の他、分針１２が回転軸１２Ａを中心に回転した際に、分針１２の先端が見切部であるガラス保持リング５にも当接しないように設計される。すなわち、回転軸１２Ａは、ガラス保持リング５における６時方向側内面５Ａおよび回転軸１４Ａ間の略中間位置に配置され、その配置位置に応じて前記分針１２の長さ寸法Ｌ１が設定されている。
【００３１】
秒針１３の回転軸１３Ａおよび前記回転軸１４Ａ間の間隔（距離）も、前記秒針１３の長さ寸法Ｌ２よりも大きくされ、秒針１３が回転軸１４Ａにぶつかることがないようされている。
なお、秒針１３は、時刻表示部４において略１０時方向に配置されており、時分針１１，１２が配置された６時方向に比べて配置可能なスペースが小さいため、秒針１３の長さ寸法Ｌ２は、分針１２の長さ寸法Ｌ１よりも小さくされている。この秒針１３の長さ寸法Ｌ２や回転軸１３Ａの配置位置は、分針１２と同様に、回転軸１４Ａや時刻表示部４外周のガラス保持リング５に衝突しないように設定されている。
【００３２】
一方、分ＣＧ針１５の回転軸１５Ａおよび前記回転軸１４Ａ間の間隔は、分ＣＧ針１５の長さ寸法Ｌ４よりも短くされ、各回転軸１４Ａ，１５Ａが近接して配置されている。
このため、分ＣＧ針１５を１周回転させると、針１５は回転軸１４Ａにぶつかってしまう。そこで、本実施形態では、分ＣＧ針１５は、前述のように、他の針１１〜１４のように１周回転するのではなく、一定角度範囲内のみで回動駆動可能つまりその駆動軌跡が扇形となるように構成されている。
【００３３】
ここで、時針１１、分針１２、秒針１３、分ＣＧ針１５の各回転軸１２Ａ，１３Ａ，１５Ａは、秒ＣＧ針１４の移動軌跡内に配置される。このため、秒ＣＧ針１４の高さ位置（レベル）は、各針１１〜１３，１５の高さ位置よりも高く（ガラス２側に）配置されており、秒ＣＧ針１４が各針１１〜１３，１５に干渉しないように高さレベルが設定されている。
そして、各針１１〜１３，１５と、秒ＣＧ針１４との高さ位置が異なることから、各目盛３Ａ〜３Ｄが形成される文字板３も、各針１１〜１５の高さ位置に合わせて設けられている。
【００３４】
具体的には、文字板３は、図２〜４に示すように、上下に積層された２枚の文字板３１，３２で構成されている。上側（ガラス２側）の文字板３１には、秒ＣＧ針１４に対応する目盛３Ｃが形成されている。また、文字板３１において、各針１１〜１３，１５が配置される箇所は穴が加工されており、下側の文字板３２が露出するようにされている。このため、各目盛３Ａ，３Ｂ，３Ｄは、文字板３２に形成されている。
また、文字板３の４時から５時方向の略中間部分（略４時半方向）には、日車を露出させて日付を表示するための窓１６が各文字板３１，３２を貫通して形成されている。
【００３５】
クロノグラフ付時計１は、図２〜４に示すように、ケース２０と、このケース２０の上部開口にパッキンを介して取り付けられたガラス保持リング５と、このガラス保持リング５で保持されるガラス２と、ケース２０の下部開口にパッキンを介して取り付けられる裏蓋３０とを備えている。なお、本実施形態において、時計１の断面方向の上下位置関係は、特に説明がない場合、ガラス２側を上側、裏蓋３０側を下側という。
これらのケース２０、ガラス２、裏蓋３０で囲まれた内部空間に、各針１１〜１５を駆動するムーブメント１００が配置されている。
【００３６】
［２．ムーブメント構造］
次に、クロノグラフ付時計１のムーブメント１００の構成について説明する。本実施形態のムーブメント１００は、大きく分けて二層構造とされている。一層目には、通常時刻を表示するための基本時計輪列と、クロノグラフを表示するためのＣＧ（クロノグラフ）輪列と、通常時刻を修正するための時刻修正機構が配置されている。
また、二層目には、発電用のコイルブロック、ステーター、発電用輪列、発電エネルギーを充電するための二次電源、クロノグラフの帰零機構が配置されている。
そして、一層目と二層目の間には、通常時刻表示やクロノグラフ表示の電気的な制御、発電機の制御を行う回路基板５０１が配置されている。
なお、本実施形態において、一層目とは時計１の上方側つまりガラス２に近い側を意味し、二層目とは時計１の下方側つまり裏蓋３０に近い側を意味する。
【００３７】
［２−１．ムーブメント一層目の構成］
時計１のムーブメント１００の一層目には、図７にも示すように、基本時計輪列やクロノグラフ輪列、時刻修正機構が配置されている。なお、図７の斜視図においては、裏蓋３０側を上方に、ガラス２側を下方にして記載されている。これは、ムーブメント１００を組み立てる際に、通常は、地板４００上に各部品を組み付けていくからである。なお、この上下位置関係は、ムーブメント１００の組立の過程を示す図８〜１４の各斜視図においても同様である。
図７に示すように、地板４００の上面（裏蓋側）には合成樹脂製の回路受け座７００が配置されており、各輪列の歯車等はこの回路受け座７００上に配置されている。
【００３８】
〔２−１−１．基本時計輪列〕
通常時刻を示すための基本時計輪列の概略構造を説明する。基本時計は、基本時計用モーター１０１、基本時計輪列を備えて構成される。
基本時計用の駆動源である基本時計用モーター１０１は、基本時計用コイル１０２、基本時計用ステーター１０３、基本時計用ローター１０４から構成されている。そして、電子回路からの駆動信号により１秒に１ステップのタイミングで基本時計用ローター１０４が回動し、五番車１０５を経て小秒車１０６に駆動が減速伝達される。従って、前記小秒車１０６に保持された基本時計秒針（小秒針）１３によって通常時刻の秒表示がされる。
すなわち、基本時計用モーター１０１は、小秒針１３を保持する小秒車１０６の近傍に配置されている。これにより、小秒針１３の運針時の指示ムラを抑えることができる。
【００３９】
また、ローター１０４の回転は、五番車１０５、四番第三中間車１０７、四番第二中間車１０８、四番第一中間車１０９、三番車１１０を経て二番車１１１に減速伝達される。従って、前記二番車１１１に保持された基本時計の分針１２によって通常時刻の分表示がなされる。二番車１１１からは日の裏車を経て筒車１１３にも駆動が伝達されて通常時刻の時表示がされる。
ここで、時刻表示部４の中心４Ａから略１０時方向に配置された秒針１３と、６時方向に配置された時針１１、分針１２との距離は非常に長くなる。このため、本実施形態では、基本時計用モーター１０１の回転をローター１０４から離れた二番車１１１に伝えるために、増減速しない３つの中間車１０７〜１０９を配置している。なお、各中間車１０７〜１０９は、増減速しない歯車であるため、同一の歯車で構成されている。これにより、歯車の数が増えてもコストが大幅に向上しないようにしている。
そして、各歯車１０５〜１１１により基本時計輪列が構成されている。
【００４０】
〔２−１−２．時刻修正機構〕
時針１１、分針１２の時刻を修正するための時刻修正機構は、りゅうず１７が固着された巻真１３０と、この巻真１３０を通常形態位置、時刻修正位置、カレンダー修正位置の各状態に位置規正するおしどり１３１、かんぬき１３２、規正レバー１３９，つづみ車１３３等で構成される切換部とを備えている。ここで、巻真１３０は時計１の３時方向に配置されており、切換部は３時から５時方向に配置されている。
そして、３時方向に配置された巻真１３０と、６時方向に配置された時針１１、分針１２とが離れているため、本実施形態の時刻修正機構は、３つの中間車１３５〜１３７を備えている。
【００４１】
すなわち、りゅうず１７に固着された巻真１３０を引き出すことにより、おしどり１３１とかんぬき１３２が連動し、つづみ車１３３が小鉄車１３４と噛み合う。小鉄車１３４は順次、日の裏第三中間車１３５、日の裏第二中間車１３６、日の裏第一中間車１３７を介して日の裏車１３８に巻真１３０の回転を伝達し、通常の時刻修正が行われる。おしどり１３１には規正レバー１３９が係合しており巻真１３０の引き出しに連動して四番第一中間車１０９を規正する。
ここで、りゅうず１７と時分針１１，１２が離れているために設けられた中間車１３４〜１３７は、増減速しない歯車であるため、日の裏車１３８と同一の歯車で構成されている。これにより、歯車の数が増えてもコストが大幅に向上しないようにしている。
【００４２】
〔２−１−３．クロノグラフ輪列〕
クロノグラフ時計は、クロノグラフモーター２０１、クロノグラフ輪列を備えて構成されている。
クロノグラフ輪列の駆動源であるクロノグラフモーター２０１は、コイル２０２、ステーター２０３、ローター２０４から構成され、時計１の略１２時位置に配置されている。このモーター２０１は、電子回路からの駆動信号によりローター２０４が回転駆動する。
このローター２０４の回転は、秒ＣＧ第三中間車２０５、秒ＣＧ第二中間車２０６、秒ＣＧ第一中間車２０７を経て秒ＣＧ車２０８に伝達され、秒ＣＧ車２０８に保持された秒ＣＧ針１４にてクロノグラフ秒が表示される。
【００４３】
一方、秒ＣＧ第一中間車２０７に伝達された回転は、秒ＣＧ第一中間車２０７から分ＣＧ第二中間車２２２、分ＣＧ第一中間車２２１を経て分ＣＧ車２２０に伝達され、分ＣＧ車２２０に保持された分ＣＧ針１５にてクロノグラフ分が表示される。すなわち、秒ＣＧ第一中間車２０７には、上下に２つのかなを備えており、一方のかなに秒ＣＧ車２０８が噛み合い、他方のかなに第二中間車２２２が噛み合っている。
なお、秒ＣＧ車２０８および分ＣＧ車２２０には、帰零のためのハートカム２１０、２２４がそれぞれ備えられている。また、秒ＣＧ車２０８および分ＣＧ車２２０を構成する真および歯車のうち、真は各車２０８，２２０で同一のものが使用され、歯車のみが異なるものとされている。これらの秒ＣＧ車２０８および分ＣＧ車２２０は、図７に示すように、針高さが異なるため、断面的にずらして配置されている。
【００４４】
以上のムーブメント１００の一層目に配置される基本時計輪列とクロノグラフ輪列の上（裏蓋側）には、図８に示すように、輪列受け４０１が配置され、この輪列受け４０１により、基本時計輪列およびクロノグラフ輪列の各上ほぞ（裏蓋側のほぞ）が回動自在に支持されている。すなわち、基本時計輪列およびクロノグラフ輪列は、地板４００の上面に載置した回路受け座７００と、輪列受け４０１との間に支持されている。
【００４５】
［２−２．ムーブメント中間層の構成］
前記輪列受け４０１の上（裏蓋側）には、図９に示すように、回路基板５０１が配置されている。回路基板５０１は、時計１の略２時位置に配置されたスタート・ストップボタン１８部分からリセットボタン１９、６時位置、各モーターが配置された１０時位置まで、時計１のケース内周に沿って平面略Ｃ字状に形成されている。
この回路基板５０１に設けられたＩＣ等の電子回路によって各モーター１０１，２０１の駆動制御と、各ボタン１８，１９の操作状態を検出できるようにされている。
さらに、回路基板５０１には、二層目の回路との導通を行うための４つの導通端子を有する導通端子部５０２が設けられている。
【００４６】
［２−３．ムーブメント二層目の構成］
ムーブメント１００の二層目には、発電用のコイルブロック、ステーター、発電用輪列、発電エネルギーを充電するための二次電源、クロノグラフの帰零機構が配置される。
【００４７】
ムーブメント二層目は、図１０に示すように、まず、回路基板５０１の上（裏蓋側）に重ねて配置される回路押さえ６００を備えている。この回路押さえ６００が発電機、二次電池、帰零機構の基盤となる。
すなわち、図１１，１２に示すように、回路押さえ６００の略４時方向には、発電用コイルブロック６１１、発電用ステーター６１２、発電用ローター６１３を備えた発電機６１０が配置されている。
また、略８時方向には二次電源６４０を配置するための略円筒状の凹部６２０が形成されており、その外周に沿って導通基板６３０が配置されている。４つの導通コイル６３１を回路押さえ６００に形成された４つの貫通孔内にそれぞれ配置することで、その端部が前記回路基板５０１と前記導通基板６３０の各端子にそれぞれ接触する。これにより、導通コイル６３１を介して、ムーブメント１００の一層目のモーター１０１，２０１等に電気的に接続されている回路基板５０１と、二層目の発電機６１０や二次電源６４０に電気的に接続される導通基板６３０とが、電気的に接続できるように構成されている。
また、回路押さえ６００は、秒ＣＧ車２０８、秒ＣＧ第一中間車２０７の各回転軸の上ほぞを回動自在に支持している。
【００４８】
さらに、ハートカム２１０，２２４に当接する復針レバー３３０、スタート・ストップボタン１８の押し操作に伴い回動して前記復針レバー３３０をハートカム２１０，２２４から離す作動レバー３４０、リセットボタン１９の押し操作に伴い回動して前記復針レバー３３０をハートカム２１０，２２４に当接させる伝達レバー３１０および復針伝達レバー３２０等の帰零機構を構成するレバー類は、ＣＧ輪列やＣＧモーター２０１と上下方向に重なるように、時計１の概略４時から１０時位置に配置されている。
そして、これらの帰零機構を構成するレバー類は、発電機６１０や二次電源６４０とは平面的に重ならないように配置されている。
【００４９】
作動レバー３４０には、スイッチ入力端子３４１が一体に形成されており、前記スタート・ストップボタン１８を押すと、スイッチ入力端子３４１が回路基板５０１の端子に接触し、ボタン１８の押し操作つまりスイッチの入力が検出できるようにされている。
【００５０】
帰零機構の各レバー３１０，３２０，３３０，３４０の上（裏蓋側）には、図１２に示すように、帰零押さえ３６０が配置され、各レバー３１０，３２０，３３０，３４０はこの帰零押さえ３６０および回路押さえ６００間に支持されている。この帰零押さえ３６０には、作動レバー３４０に突設されたピンに係合するクリックバネ３６１と、復針伝達レバー３２０に突設されたピンに係合するクリックバネ３６２とが一体に形成されている。
また、図１２に示すように、帰零押さえ３６０には、リセットボタン１９が当接するばね部３６３が形成されている。このため、リセットボタン１９を押すと、ばね部３６３を介して伝達レバー３１０が押されて回動される。また、ばね部３６３は、帰零押さえの対向する側から形成されている入力端子部３６４を弾性的に保持しており、リセットボタン１９が押されると、ばね部３６３は、帰零押さえ３６０に形成された入力端子部３６４を開放し、入力端子部３６４が回路基板５０１に設けられるリセット端子に当接される。これにより、リセットボタン１９の押し操作を検出できるようになっている。
【００５１】
帰零押さえ３６０の上側には、発電用ローター６１３に噛み合うローター伝え車６１４も配置されている。
さらに、帰零押さえ３６０の上には、図１３に示すように、回転錘受４６０が配置される。この回転錘受４６０により、前記発電用ローター６１３、ローター伝え車６１４、分ＣＧ車２２０、分ＣＧ第一中間車２２１の各回転軸の各上ほぞが回転自在に支持されている。
また、前記凹部６２０には、二次電源６４０が配置されている。この二次電源６４０は、二次電池とマイナス端子とを溶接することで一体化された二次電源ユニットで構成されている。この二次電源６４０は、金属部材である二次電池押さえ６４１により絶縁板を介して２本のねじでムーブメント１００に固定されており、ムーブメント部品の最後に組み立てられるようになっている。なお、二次電池６４０には、二次電池のマイナスリード板６４２も取り付けられている。
【００５２】
回転錘受４６０上には、図１４に示すように、回転錘車４７０および回転錘４８０が配置されている。回転錘車４７０は、回転錘受４６０から突出しているローター伝え車６１４のかなに噛合している。このため、回転錘４８０の回動に伴い回転錘車４７０が回転すると、ローター伝え車６１４を介して発電用ローター６１３が回転し、発電機６１０で発電されることになる。
【００５３】
［３−１．基本時計の動作］
このような本実施形態では、時計１を腕に装着するなどして動かすと、回転錘４８０が回転する。回転錘４８０の回転に伴い、回転錘車４７０、ローター伝え車６１４を介して発電用ローター６１３が回転され、発電されるようになる。
発電機６１０で発電された電力は、導通基板６３０や導通コイル６３１を介して電気的に接続された整流回路で整流された後、二次電源６４０に供給されて充電される。
二次電源６４０に充電された電力は、前記導通基板６３０、導通コイル６３１を介して回路基板５０１に供給される。これにより、回路基板５０１に配置された水晶発振器やＩＣなどの制御装置が駆動され、この制御装置から出力される駆動パルスによって基本時計用モーター１０１が駆動される。
【００５４】
基本時計用モーター１０１が駆動されてロータ１０４が回転されると、その回転は、前述の通り、五番車１０５を介して小秒車１０６に伝達され、小秒針１３が作動される。
同時に、ロータ１０４の回転は、五番車１０５、各中間車１０７〜１０９、三番車１１０、二番車１１１、日の裏車等の基本時計輪列を介して伝達され、時針１１および分針１２も作動される。
【００５５】
［３−２．クロノグラフ時計の動作］
一方、クロノグラフ時計機能を利用する場合には、まず、スタート・ストップボタン１８を押す。すると、作動レバー３４０を介して復針レバー３３０が動かされ、復針レバー３３０がハートカム２１０，２２４から離れて秒ＣＧ車２０８、分ＣＧ車２２０の規正が解除される。
同時に、スタート・ストップボタン１８の押し操作により、スイッチ入力端子３４１が回路基板５０１に接触してスイッチが入力され、制御回路からＣＧモーター２０１に駆動パルスが送られてモーター２０１が駆動する。
ＣＧモーター２０１のローター２０４の回転は、前記ＣＧ輪列を介して秒ＣＧ車２０８および分ＣＧ車２２０に伝達され、秒ＣＧ針１４、分ＣＧ針１５がそれぞれ作動される。
【００５６】
なお、スタート・ストップボタン１８の押し操作を解除すると、クリックバネ３６１の弾性力で作動レバー３４０は元の位置に戻り、スイッチ入力端子３４１も回路基板５０１から離れる。但し、ＣＧモーター２０１の駆動は継続し、クロノグラフ時の計時が続行される。
【００５７】
ＣＧモーター２０１が駆動している際に、再度スタート・ストップボタン１８を押すと、作動レバー３４０が再度回動して前記スイッチが入力される。これにより、ＣＧモーター２０１が停止し、各秒ＣＧ針１４、分ＣＧ針１５も停止する。
その後、再度、スタート・ストップボタン１８を押せば、ＣＧモーター２０１の駆動が再開され、秒ＣＧ針１４、分ＣＧ針１５の作動も再開する。以降、スタート・ストップボタン１８を押すたびに、ＣＧモーター２０１の停止、駆動が交互に繰り返されて、クロノグラフ時間の積算計測が行われる。
【００５８】
一方、リセットボタン１９を押すと、伝達レバー３１０および復針伝達レバー３２０を介して復針レバー３３０が移動され、この復針レバー３３０が秒ＣＧ車２０８および分ＣＧ車２２０のハートカム２１０，２２４を圧接して各針１４，１５を帰零させる。
なお、本実施形態では、リセットボタン１９を押した際に、秒ＣＧ第二中間車２０６に圧接して規正するクロノグラフ規正レバーが設けられており、秒ＣＧ車２０８、分ＣＧ車２２０の帰零動作に伴いＣＧモーター２０１のローター２０４が回転しないようにしている。さらに、リセットボタン１９の押し操作で、ばね部３６３が入力端子部３６４を開放することにより入力端子部３６４がリセット端子に当接し、リセットスイッチが入力されると、ＣＧモーター２０１を制御する電子回路はリセットされる。
【００５９】
［３−３．基本時計の時刻修正操作］
基本時計の指示時刻を修正するには、りゅうず１７を時刻修正位置まで引き出して巻真１３０を引き出す。これにより、おしどり１３１とかんぬき１３２が連動し、つづみ車１３３が小鉄車１３４と噛み合うため、巻真１３０を回転させると、小鉄車１３４、各中間車１３５〜１３７、日の裏車１３８を介して二番車１１１に回転が伝達され、通常の時刻修正が行われる。この際、巻真１３０の引き出しに連動して規正レバー１３９が作動し、四番第一中間車１０９を規正するため、巻真１３０の回転は、基本時計用モーター１０１側には伝達されることはない。
【００６０】
このような本実施形態では、次のような効果がある。
（１）  秒ＣＧ針１４を単独で設け、その回転軸１４Ａが他の針の回転軸と一致しないようにしており、通常時刻表示も時分針１１，１２と秒針１３とを独立させているため、各針の指示を使用者が容易に判読できる。また、分ＣＧ針１５も単独で設けられているので、その指示をより容易に判読できる。従って、クロノグラフ時計機能を有し、多くの指針を備える多機能時計１であっても、各指針の指示を確実に確認できて視認性の高い時計にできる。
また、時分針１１，１２以外は、各針１１〜１５がそれぞれ独立して配置されているので、各針１１〜１５を駆動するための輪列も互いに離して配置することができ、断面的な針の重なりや、各輪列の重なりも最小限に抑えることができる。従って、多くの指針を備える多機能時計１であっても、時計１を薄型化することができる。
【００６１】
（２）  秒ＣＧ針１４の回転軸１４Ａを時刻表示部４の中心４Ａから若干偏心させて配置しているので、この回転軸１４Ａに干渉しないように配置しなければならない時針１１、分針１２の長さ寸法を前記偏心した分だけ長くすることができる。このため、通常時刻表示用の時分針１１，１２を、秒ＣＧ針１４と独立させて時刻表示部４の６時位置に配置した場合でも、各針１１，１２の長さを比較的長く設定でき、通常時刻の視認性も向上できる。
さらに、秒ＣＧ針１４は、回転軸１４Ａを時刻表示部４の中心４Ａから若干偏心させて配置し、他の針１１〜１３，１５に比べても最も長い寸法に設定しているので、メカ帰零時の針１４のダイナミックな動作が表現でき、かつ視認性も向上できる。
【００６２】
（３）  分ＣＧ針１５を扇運針としたので、その回転軸１５Ａを秒ＣＧ針１４の軸１４Ａに近接して配置することができる。すなわち、各回転軸１４Ａ，１５Ａ間の距離を、分ＣＧ針１５の長さ寸法Ｌ４よりも短くすることができる。このため、分ＣＧ針１５の回転軸１５Ａを時刻表示部４の中心４Ａ近傍に配置でき、その分、分ＣＧ針１５の長さ寸法Ｌ４も長く設定できるため、分ＣＧ針１５の指示も判読しやすくできる。
また、各クロノグラフ針１４，１５をメカ帰零方式で帰零する際に、各軸１４Ａ，１５Ａが近接しているため、各軸のハートカム２１０，２２４に当接する復針レバー３３０の各カム当接部も近接することができ、各ハートカム２１０，２２４に当接する復針レバー３３０を容易に一体化でき、かつ小型化することができる。
【００６３】
（４）  時分針１１，１２が取り付けられる車（二番車１１１、筒車）と、基本時計用モーター１０１のローター１０４との間に、増減速しない歯車１０７〜１０９を少なくとも２つ以上配置し、これらの歯車１０７〜１０９を同一の車で構成したので、部品コストを抑えることができる。従って、時分針１１，１２と秒針１３との距離が長い場合でもコストを抑えることができる。
【００６４】
（５）  通常の時計では、二次電源と回路基板の導通構造を優先し、二次電源を回路基板の下層（第１層）に配置していたが、二次電源が下層に配置されていると、各部品を組み立てた後に回路の電気的な検査を行う場合には、二次電源からの電気導通を遮断しなければならない。そのため、一般には、プラス端子のような部品を最後に組み込めるように設計し、組立工程の途中では二次電源を導通させない配慮が必要になる。
これに対し、本実施形態では、二次電源６４０を裏蓋３０側の二層目（上層）に配置しているので、ムーブメント１００の組立工程において二次電源６４０を最後に組み込むことが可能となり、組立工程内で回路の電気的な検査を容易に行うことができる。このため、組立施工性や生産性を向上できる。
【００６５】
（６）  帰零機構をＣＧ輪列の上層に配置したので、ハートカム２１０，２２４を叩く復針レバー３３０や作動レバー３４０等を効率的に配置することができる。従って、多数の部品を有する多機能時計１であっても通常の腕時計サイズに納めることができる。
【００６６】
（７）  回路基板５０１と、２層目の二次電源６４０等とを導通コイル６３１を利用して電気的に接続しているので、高さ方向に離れた回路同士であっても簡単な構成で確実に接続することができる。
【００６７】
（８）  秒ＣＧ針１４を時刻表示部４の中心４Ａから１２時方向に偏心した位置に配置し、時針１１、分針１２を中心４Ａから６時方向に偏心した位置に配置し、秒針１３を中心４Ａから略１０時方向に偏心した位置に配置し、分ＣＧ針１５を中心４Ａから略２時方向に偏心した位置に配置したので、各針の配置バランスが良くなり、意匠性を向上できる。
その上、扇運針を行う分ＣＧ針１５を略２時方向に配置したので、分ＣＧ針１５も帰零位置から時計回りに、つまり他の針と同方向に回動できるので、各針の作動が違和感無く把握できる。
【００６８】
なお、本発明は前述の実施の形態に限定されるものではなく、本発明の目的を達成できる範囲での変形、改良等は本発明に含まれるものである。
例えば、本実施形態では、電子時計を例としてあげていたが、各指針の駆動方式としてはモーター駆動に限らず、ぜんまい駆動の機械式時計に本発明を採用してもよい。
【００６９】
また、前記実施形態では、秒ＣＧ針１４および分ＣＧ針１５の２つの指針を設けていたが、さらに時ＣＧ針を追加してもよいし、秒ＣＧ針１４のみを設けてもよい。
【００７０】
さらに、通常時刻を指示する指針以外に設けられる指針が指示する情報としては、前記実施形態のようなクロノグラフ時間に限らず、アラームやタイマーのセット時間のような他の時間情報でもよい。さらには、時間情報に限らず、圧力計、温度計、湿度計等を組み込んでおき、それらの測定値を指示するために前記指針を用いてもよい。また、測定情報以外に、例えば、二次電池の充電電圧等を指示するために前記指針を利用しても良い。要するに、指針で指示する情報としては、通常時刻以外で有ればよく、時計１に求められる機能に応じて適宜設定すればよい。
また、通常時刻以外の情報を指示する指針の数は単数でも複数でもよく、少なくとも時刻表示部４の中心４Ａから僅かに偏心して設けられ、他の指針に比べて長さ寸法の大きな指針が１つ設けられていればよい。
【００７１】
さらに、前記実施形態では、通常時刻を指示する秒針１３を備えていたが、この秒針１３は必ずしも設けなくてもよく、時分針１１，１２のみで通常時刻を表示してもよい。
【００７２】
前記実施形態では、分ＣＧ針１５を扇運針するように構成していたが、秒針１３等と同様に回転運針するように構成してもよい。この場合は、秒針１３等と同様に、回転軸１４Ａに分ＣＧ針１５が干渉しないように、分ＣＧ針１５の配置位置やその長さ寸法を設定すればよい。
【００７３】
前記実施形態では、秒ＣＧ針１４と時針１１、分針１２とは、中心４Ａに対して１２時方向および６時方向に偏心した位置にそれぞれ配置されていたが、この方向に限定されず、例えば、３時方向および９時方向等の他の方向に互いに偏心していてもよい。
さらに、秒ＣＧ針１４と時針１１、分針１２とは、中心４Ａに対して互いに反対方向（互いに対向する方向）に偏心されていたが、中心４Ａに対して互いに対向しない方向に偏心させてもよい。例えば、秒ＣＧ針１４を中心４Ａに対して１２時方向に偏心させ、時針１１、分針１２を略８時方向に偏心させてもよい。また、中心４Ａに対して同じ方向、例えば１２時方向に、秒ＣＧ針１４および時分針１１，１２を偏心させてもよい。
要するに、各針の配置位置は、配置する指針の数等に応じて適宜設定すればよく、特に各針のバランスや輪列配置などを考慮して設定すればよい。
【００７４】
時刻表示部４の平面形状としては、円形、楕円形、矩形等が選択できる。これらにおいて、時刻表示部４の中心４Ａは、通常、各形状の時刻表示部４の重心位置とすればよい。
【００７５】
【発明の効果】
このような本発明の多機能時計によれば、指針の視認性を向上でき、時計の厚みの増加を抑えることができる。
【図面の簡単な説明】
【図１】本発明の一実施形態であるクロノグラフ付時計の表側外観図。
【図２】図１のＡ−Ａ線に沿った断面図。
【図３】図１のＢ−Ｂ線に沿った断面図。
【図４】図１のＣ−Ｃ線に沿った断面図。
【図５】図１のＤ−Ｄ線に沿った断面図。
【図６】クロノグラフ付時計の表側外観の拡大図。
【図７】ムーブメントの組立工程の途中状態を示す斜視図。
【図８】ムーブメントの組立工程の途中状態を示す斜視図。
【図９】ムーブメントの組立工程の途中状態を示す斜視図。
【図１０】ムーブメントの組立工程の途中状態を示す斜視図。
【図１１】ムーブメントの組立工程の途中状態を示す斜視図。
【図１２】ムーブメントの組立工程の途中状態を示す斜視図。
【図１３】ムーブメントの組立工程の途中状態を示す斜視図。
【図１４】ムーブメントの組立工程の途中状態を示す斜視図。
【符号の説明】
１…クロノグラフ付時計（多機能時計）、４…時刻表示部、４Ａ…中心、５…ガラス保持リング、１１…時針、１２…分針、１３…小秒針、１４…秒クロノグラフ針、１５…分クロノグラフ針、１１Ａ〜１５Ａ…回転軸、１８…スタート・ストップボタン、１９…リセットボタン、１００…ムーブメント、１０１…基本時計用モーター、１０５…五番車、１０６…小秒車、１０７〜１０９…中間車、１１１…二番車、１３４…小鉄車、１３５〜１３７…中間車、１３８…日の裏車、２０１…クロノグラフモーター、２０８…秒クロノグラフ車、２２０…分クロノグラフ車、２１０，２２４…ハートカム、３１０…伝達レバー、３２０…復針伝達レバー、３３０…復針レバー、３４０…作動レバー、３６０…帰零押さえ、４００…地板、４０１…輪列受け、４６０…回転錘受、４７０…回転錘車、５０１…回路基板、６００…回路押さえ、６１０…発電機、６３０…導通基板、６４０…二次電源、７００…回路受け座。
【図１】
2004264040.tif 000003
【図２】
2004264040.tif 000004
【図３】
2004264040.tif 000005
【図４】
2004264040.tif 000006
【図５】
2004264040.tif 000007
【図６】
2004264040.tif 000008
【図７】
2004264040.tif 000009
【図８】
2004264040.tif 000010
【図９】
2004264040.tif 000011
【図１０】
2004264040.tif 000012
【図１１】
2004264040.tif 000013
【図１２】
2004264040.tif 000014
【図１３】
2004264040.tif 000015
【図１４】
2004264040.tif 000016